(57)【要約】      （修正有）【課題】省電力モードからの動作モードへの復帰の起因に対応させて、画像読取装置の復帰のシーケンスを制御することにより、省電力と主制御部の立ち上り復帰時間の短縮化を図る。【解決手段】複数の機能モジュールにより構成された画像読取装置において、装置内に設置された複数のセンサーからの信号と外部からの複数種類の信号を受信するサブ制御部６２と、サブ制御部と、複数の機能モジュールの動作制御を行う主制御部と、サブ制御部、主制御部及び複数の機能モジュールに対して必要な電源電圧を個別に供給するように構成された電源装置とを備え、省電力モード時において、電源装置はサブ制御部に対して必要な電源電圧を供給し、主制御部又はサブ制御部は、サブ制御部が受信した信号に対応して、主制御部を含む複数の機能モジュールの復帰シーケンスを制御する。【選択図】図５
2011071779.tif 000002
【特許請求の範囲】
【請求項１】
自動原稿送り部、光学読取部及び画像データ処理部等の複数の機能モジュールにより構成された画像読取装置において、
装置内に設置された複数のセンサーからの信号と、外部からの複数種類の信号と、を受信するサブ制御部と、
前記サブ制御部と接続されており、前記複数のモジュールの動作制御を行う主制御部と、
前記サブ制御部、前記主制御部及び前記複数の機能モジュールに対して必要な電源電圧を個別に供給するように構成された電源装置と、を備え、
画像読取装置の省電力モード時において、前記電源装置は前記サブ制御部に対して必要な電源電圧を供給し、前記主制御部又は前記サブ制御部は、前記サブ制御部が受信した前記複数種類の信号に応じて、前記主制御部を含む前記複数の機能モジュールの復帰シーケンスを制御することを特徴とする画像読取装置。
【請求項２】
前記省電力モードにおいては、少なくとも前記複数の機能モジュールに対する電源電圧の供給は遮断されていることを特徴とする請求項１に記載の画像読取装置。
【請求項３】
前記省電力モードにおいては、前記主制御部における前記サブ制御部とのインターフェイス部及び前記電源装置に対する電源供給制御部に対して必要な電源電圧の供給が行われることを特徴とする請求項２に記載の画像読取装置。
【請求項４】
前記サブ制御部が前記自動原稿送り装置における給紙トレイ上に原稿が載置された信号を受信した場合には、
（１）前記自動原稿送り部に係る第１の機能モジュール、
（２）前記光学読取部に係る前記第２の機能モジュール、
（３）前記画像データ処理部に係る第３の機能モジュール、の順で、
前記省電力モードから復帰させることを特徴とする請求項１に記載の画像読取装置。
【請求項５】
画像読取装置は、前記サブ制御部において前記複数のセンサー及び外部からの信号受信が予め設定された所定時間を越えて無かった時に、通常動作モードから前記省電力モードに移行することを特徴とする請求項１乃至４の何れかに記載の画像読取装置。
【発明の詳細な説明】
【技術分野】
【０００１】
本発明は、原稿を光学的に読み取って原稿の画像データを出力する画像読取装置に関し、特に、省電力モードを有する画像読取装置に関する。
【背景技術】
【０００２】
画像読取装置は、コピー装置やファクシミリ装置等に搭載又は接続され、原稿画像を光学的に読み取って電気的な画像データを出力する。
【０００３】
このような画像読取装置は、給紙トレイ上に載置された原稿を一枚ずつに分離して搬送する自動原稿送り装置（以下、適宜「ＡＤＦ」という）、ＡＤＦによって搬送されてくる原稿画像に光を照射してその反射光を光電変換することにより画像データを得る光学読取部、この光学読取部が得た画像データに対してライン間補正、ガンマ補正、色相補正等の画像データの補正処理を施す画像データ処理部等の複数の機能モジュールにより構成されている。
【０００４】
また、画像読取装置本体及び機能モジュールには、例えば、給紙トレイ上への原稿載置の有無検知、原稿のサイズ検知、搬送される原稿の位置検知等のための多くの各種センサーが配置されている。また、プラテンと呼ばれる原稿読取台（ガラス）の上に原稿が載置された場合には、当該原稿の載置と原稿のサイズを検知し原稿サイズに応じてプラテンの裏側において光源等を搭載した光学読取手段を画像読取の副走査方向に走行させながら原稿を読み取る。また、画像読取装置は、コピー装置やファクシミリ装置等の外部装置から指示信号の受信や画像データの送信等を行う。このように、画像読取装置は、ユーザ操作や外部からの信号に応じて夫々の機能を発揮する複数の機能モジュールとこれらの機能モジュールに搭載された多くのセンサーによって構成されている。
【０００５】
ところで、このような画像読取装置の多くは、従来から、一定時間（可変可能）以上使用されていない状態を検知した場合等を起因として、装置での消費電力を削減するために、全ての機能モジュールが動作可能な通常動作モードから一部の信号を受け付ける制御部を除いて機能モジュールの動作可能状態を一時停止させる省電力モード（省エネモード）に移行するようにしている（例えば、特許文献１又は特許文献２を参照）。
【０００６】
このため、従来の省電力モードを有する画像読取装置の例として、装置の制御装置をメインＣＰＵ部とサブＣＰＵ部に分けて、省エネモード時には、サブＣＰＵ部を除くメインＣＰＵを含む本体制御部を停止させることにより消費電力の低減を達成し、上記省エネモードに入る前の装置の設定条件を記憶する不揮発性の記憶媒体を備えることにより、メインＣＰＵを含む本体制御部が停止しても、省エネモードに入る前の設定条件で通常動作モードに復帰できるようにした画像形成装置（コピー装置）が知られている（例えば、特許文献３を参照）。
【０００７】
また、他の省電力モードを有する装置の従来例として、ビデオディスクプレーヤーやＤＶＤ−ＲＯＭ再生装置等の電子機器において、電源オン時からの装置の起動又は省エネモード等によるサスペンデッド状態からの起動の何れかの起動であるかを判別して初期化処理を異ならせる電子機器のシステム起動方法も知られている（例えば、特許文献４を参照）。
【先行技術文献】
【特許文献】
【０００８】
【特許文献１】特開２００５−２３１８７３号公報
【特許文献２】特開２０００−２８９８８５号公報
【特許文献３】特開平８−２５４９２２号公報
【特許文献４】特許第３８５１７３６号公報
【発明の概要】
【発明が解決しようとする課題】
【０００９】
しかし、上記した何れの省電力モードを有する従来装置においては、省電力モード（省エネモード）から通常動作モードに復帰させる時に、主制御部と当該主制御部によって動作制御される全ての機能モジュールの一斉の動作復帰を行うものである。従って、省電力モードからの復帰の状況においては、必ずしも緊急の立ち上げを要しない主制御部を含む機能モジュールの動作復帰を行うことになって無駄に電力を消費することになったり、さらには、主制御部全体を立ち上げなければならないために主制御部の復帰に一定の時間を必要としていたのである。
【００１０】
本発明は、上記した従来技術が有していた課題を解決するべく、省電力モードからの何らかの動作モードへの復帰の起因に対応させて、画像読取装置を構成する主制御部を含む機能モジュールの復帰のシーケンスを制御することにより、省電力と主制御部の立ち上り復帰時間の短縮化を目的とする。
【課題を解決するための手段】
【００１１】
このため、本発明は、自動原稿送り部、光学読取部及び画像データ処理部等の複数の機能モジュールにより構成された画像読取装置において、当該装置内に設置された複数のセンサーからの信号と外部からの複数種類の信号を受信するサブ制御部と、前記サブ制御部と接続されており、前記複数のモジュールの動作制御を行う主制御部と、前記サブ制御部、前記主制御部及び前記複数の機能モジュールに対して必要な電源電圧を個別に供給するように構成された電源装置と、を備え、画像読取装置の省電力モード時において、前記電源装置は前記サブ制御部に対して必要な電源電圧を供給し、前記主制御部又は前記サブ制御部は、前記サブ制御部が受信した前記複数種類の信号に応じて、前記主制御部を含む前記複数の機能モジュールの復帰シーケンスを制御することを特徴とする画像読取装置を提供するものである。
【００１２】
ここで、本発明の画像読取装置においては、少なくとも前記複数の機能モジュールに対する電源電圧の供給は遮断されている。また、前記省電力モードにおいては、前記主制御部における前記サブ制御部とのインターフェイス部及び前記電源装置に対する電源供給制御部に対して必要な電源電圧の供給が行われるのである。
【００１３】
一例として、前記サブ制御部が前記自動原稿送り装置における給紙トレイ上に原稿が載置された信号を受信した場合には、（１）前記自動原稿送り部に係る第１の機能モジュール、（２）前記光学読取部に係る前記第２の機能モジュール、（３）前記画像データ処理部に係る第３の機能モジュール、の順で、前記省電力モードから復帰させるのである。
【００１４】
ところで、本発明の画像読取装置においては、前記サブ制御部において前記複数のセンサー及び外部からの信号受信が予め設定された所定時間を越えて無かった時に、通常動作モードから前記省電力モードに移行するのである。
【発明の効果】
【００１５】
このように、本発明に係る画像読取装置においては、制御部を、装置内に設置された複数のセンサーからの信号と外部からの複数種類の信号を受信するサブ制御部と、このサブ制御部と接続されており複数のモジュールの動作制御を行う主制御部とに分離させると共に、本装置の電源装置を、サブ制御部、主制御部及び複数の機能モジュールに対して必要な電源電圧を個別に供給するように構成し、省電力モード時において、電源装置はサブ制御部に対して必要な電源電圧を供給し、主制御部又はサブ制御部は、サブ制御部が受信した前記複数種類の信号に応じて、複数の機能モジュールに対する電源装置からの主制御部を含む機能モジュールの省電力モードからの復帰シーケンスを制御するようにした。
【００１６】
これにより、本画像読取装置は、主制御部を含む機能モジュールの更なる省電力と、省電力モードからの主制御部の立ち上り復帰時間の短縮化を実現したのである。
【図面の簡単な説明】
【００１７】
【図１】本発明の画像読取装置を構成するブロック図を示す。
【図２】本発明が適応される画像読取装置の全体構成を説明するための側面図を示す。
【図３】本画像読取装置１の制御構成を示すブロック図を示す。
【図４】本画像読取装置における原稿読み取りの例として、ＡＤＦ２を用いた自動給紙読み取りの場合の読み取りの状態を説明するものである。
【図５】本画像読取装置における省電力モードからの複数の復帰の起因に対応した復帰シーケンスの例を示す。
【図６】図５の復帰シーケンスにおける起因（１）に対応した復帰シーケンスの例を示す。
【図７】図５の復帰シーケンスにおける起因（２）に対応した復帰シーケンスの例を示す。
【図８】図５の復帰シーケンスにおける起因（３）に対応した復帰シーケンスの例を示す。
【図９】図５の復帰シーケンスにおける起因（５）に対応した復帰シーケンスの例を示す。
【発明を実施するための形態】
【００１８】
以下、本発明に係る画像読取装置における実施の形態の例を、図面の記載に基づいて詳細に説明する。図１は、本発明の画像読取装置１を構成するブロック図を示す。
【００１９】
図１に示すように、本画像読取装置１は、少なくとも、第１の機能モジュールであるＡＤＦ部５０と、第２の機能モジュールである光学読取部５１と、第３の画像データ処理部５２と、これらの各機能モジュールにおいて設置されている各種センサー及びスイッチ類５３と、に大きく分けられる。
【００２０】
また、本画像読取装置１の制御部（制御装置）６０は、主に上記した複数の機能モジュールを動作制御するための主制御部６１と、主制御部６１と接続されていて主に上記した各種センサー及びスイッチ類の内いくつかのセンサー（例えば、原稿のサイズ検知センサー）又はスイッチ類からの信号を受信するサブ制御部６２と、によって構成されている。
【００２１】
尚、図１に示した本画像読取装置１では、機能モジュールとして３つの機能モジュールの例を示したが、本発明は、２つの機能モジュールの場合又は４つ以上の機能モジュールに分類した画像読取装置に対しても適応可能であることは言うまでもない。
【００２２】
ここで、主制御部６１も、上記した複数の各機能モジュールに対応して、そのハードウェア（回路）と制御プログラムがブロック化された構成となっている。
さらに、本装置内の電源装置７０は、ＡＣ／ＤＣコンバータにおいて発生した安定化されたＤＣ電源電圧（ＤＣ５Ｖ、ＤＣ１２Ｖ、若しくは必要に応じてＡＣ電圧等）を、主制御部６１、サブ制御部６２及び複数の機能モジュール５０、５１、５２に対して必要な電源電圧を個別に供給可能にするための電源供給制御部７１とにより構成されている。
【００２３】
そして、本画像読取装置の省電力モード時においては、電源装置７０は、サブ制御部６２に対して必要な電源電圧を供給し、主制御部６１又はサブ制御部６２は、サブ制御部６２が受信したいくつかの必要なセンサー又はスイッチ類５３からの信号に応じて、各機能モジュール５０、５１、５２に対する電源装置７０からの主制御部を含む機能モジュール５０、５１、５２の省電力モードからの復帰動作のシーケンスを制御するのである。
【００２４】
以下、本画像読取装置の全体的な動作説明を行い、本発明による省電力モードからの復帰のシーケンス制御の詳細は、後に詳しく説明する。
【００２５】
図２は、本発明が適応される画像読取装置の全体構成を説明するための側面図を示す。画像読取装置１は、コピー機やファクシミリ装置等の画像形成装置１００に搭載又は接続される。図２に示す画像読取装置１は、第１の機能モジュール５０（図１）の主たる構成であるＡＤＦ２を搭載し、原稿の自動給紙方式と固定読取方式の両方の読取方式に対応しており、ＡＤＦ２が、画像読取装置１上にヒンジ手段を介して開閉自在に取り付けられる。そして、ＡＤＦ２には、搬送する原稿のサイズを検知するセンサー（図示せず）が原稿搬送経路に設置されている。
【００２６】
画像読取装置１は、箱状のケーシング９を有し、このケーシング９の上面２１には、透明なガラスなどで構成されたＡＤＦ２で搬送される原稿を読み取るためのシートスループラテン８、本などの厚手原稿又は手置き原稿を載置し読み取るためのブックプラテン２０が取り付けられ、さらにシートスループラテン８とブックプラテン２０との間には、手置き原稿を突き当てて静止するための突当部材３８が取り付けられている。
【００２７】
ケーシング９内には、原稿を読み取るための第２の機能モジュール（図１）を構成する読取ユニット３（光学読取手段）が収容されており、この読取ユニット３は、プーリやタイミングベルト等の駆動伝達手段を介して、正逆転可能なパルスモータで構成されるモータＰＭ１（移動手段）により、図１中点線で示すホームポジションＰからブックプラテン２０の右端近傍までケーシング９の上面２１に沿って移動可能に支持されている。原稿の固定読取方式においては、読取ユニット３が、ブックプラテン２０の下方を画像読取の副走査方法（図１の右方向）に走行して画像データを得る。そして、原稿の移動読取方式においては、読取ユニット３が、読取位置８に停止した状態で、給紙トレイ１１の上から一枚づつ繰り出されて搬送されてくる原稿の画像データを得るようにしている。
【００２８】
ケーシング９内には、ホームポジションＰに読取ユニット３が到達したことを検出するホームポジションセンサー９３と、画像読取装置１全体を制御するための主制御部６１とサブ制御部６２とから構成される制御部６０が配設されている。
【００２９】
第２の機能モジュール５１（図１）を構成する読取ユニット３には、原稿に光を照射するための光源７、原稿から反射された画像光を反射するためのミラー６（反射手段）と、このミラー６を介して入射した画像光を集光し結像するレンズ１０（集光手段）と、このレンズ１０の結像位置に配設され画像光を光電変換する後述する複数のラインセンサーが設けられた第２の機能モジュール５１を構成するセンサーユニット４と、このセンサーユニット４が支持されアナログデジタル変換（Ａ／Ｄ変換）素子などが取り付けられたセンサー基板１４とが支持されている。
【００３０】
光源７により照射された原稿からの画像光は、ミラー６で反射された後、レンズ１０でセンサーユニット４の各ラインセンサー上に集光結像された後に光電変換され、アナログ信号となる。アナログ信号は、センサー基板１４上でデジタル信号に変換された後、ケーブル２２を介して制御部６０に送信され、図１に示す第３の機能モジュールを構成する画像データ処理部５２（通常、制御部６０と同じ回路基板上に配置される）においてライン間補正等の画像処理が施された後、画像データとして例えば複写機等の画像形成装置１００に転送される。
【００３１】
図３は、本画像読取装置１の制御構成を示すブロック図である。ここで、主制御部６１は、制御信号線を通して、第１の機能モジュール（図１）を構成するモータドライバ５４とＡＤＦ制御部５５、第２の機能モジュール（図１）を構成する光学読取部５１、第３の機能モジュール（図１）を構成する画像データ処理部５２、インターフェイス５８、インバータ５９と接続され、さらに、インターフェイス５８を介して外部の画像形成装置１００と接続されている。この画像形成装置１００には、ＣＰＵ、ＲＯＭ、ＲＡＭ、さらにカラー読取モードやモノクロ読取モードなどの読取モードを選択するモード選択キーやスタートスイッチなどを有する操作部１０１とを備えている。
【００３２】
また、主制御部６１にはＲＯＭとＲＡＭが接続され、ＲＯＭの所定領域には画像読取装置１を構成する複数の機能モジュールを制御するための制御プログラムが記憶されており、ＲＡＭは、画像データ等を一時的に記憶するために用いられている。ここで、各機能モジュールの制御プログラムは、上記した各機能ブロック毎に分割された複数の機能サブルーチン化されたプログラムとなっている。
【００３３】
主制御部５１は、インバータ５９（図３）を駆動させて光源７を点灯させ、この光源７で照射された原稿からの画像光をＣＣＤ等の光電変換装置によりデジタルの画像データを得る。
【００３４】
このようにして得られたモノクロの場合の輝度信号又はカラー画像の場合の三原色を構成する原稿画像の赤色Ｒ，緑色Ｇ及び青色Ｂの三原色の画像データは、Ａ／Ｄコンバータ５６（図３）でデジタル信号に変換した後、画像データ処理部５２においてライン間補正やガンマ補正などの補正処理を施し、インターフェイス５８を介して画像データをデジタルデータとして複写機等の画像形成装置１００に転送される。
【００３５】
図４は、本画像読取装置における原稿読み取りの例として、ＡＤＦ２を用いた自動給紙読み取りの場合の読み取りの状態を説明するものである。図４に示すように、ＡＤＦ２（図２）により搬送される原稿は、読取位置において、シートスループラテン８の下に停止している読取ユニット３内の光源７により照射された光を受け、その反射光が、反射鏡６及びレンズ１０等の光学素子により光学読取部５２の受光面に導かれる。
【００３６】
原稿読み取り方式としては、上述したとおり、ブックプラテン２０（図２）の上に原稿を載置して光学ユニット３を原稿の副走査方向に一定の速度で移動しながら原稿画像を読み取るようにした固定読取方式もあるが、自動給紙方式と固定読取方式では、本発明との関連においては、単に、上記したように原稿を移動させるか又は読取ユニット３を移動させるかの違いである。何れの場合も、画像読み取りの対象となる原稿のサイズは、センサーにより検知される。
【００３７】
以下、本発明に係る画像読取装置における省電力モードからの復帰プロセスの具体例について種々説明する。
【００３８】
本画像読取装置は、図２及び図３に例示したように、第１の機能モジュール５０である自動原稿送り部、第２の機能モジュール５１である光学読取部そして第３の機能モジュール５２である画像データ処理部等の複数の機能モジュールにより構成されている。また、これらの複数の機能モジュール５０、５１、５２の制御を司る主制御部６１における動作制御プログラムの構成もこれらの各機能モジュールの分割に対応した構成となっている。
【００３９】
本画像読取装置は、電源装置のオン操作によって主制御部がプログラムのイニシャル処理を行って通常動作モードに入り、その後、例えば一定時間に亘って、装置が使用されない状態が続いたり外部から信号がなかった場合には、通常動作モードから省電力モードに移行する。そして、本画像読取装置１は、例えば、以下の信号検知等を起因として省電力モードからの復帰シーケンスを行うようにしている。但し、以下説明する省電力モードからの復帰の起因及び各起因の基づく復帰シーケンスは例示である。
【００４０】
Ａ．省電力モードからの復帰要因の例
（１）ブックプラテン（図２の符合２０）のカバー又はＡＤＦ２（図２）の持ち上げの検知
（２）給紙トレイ（図２）上への原稿載置の検知
（３）ＡＤＦ２（図２）のジャムカバーの開き検知
（４）外部の画像形成装置からのコピー開始信号の受信
（５）外部のパーソナルコンピュータ等からの信号（例えば、画像読取の指示信号、またはＲＡＭ（図３）に格納されている画像データの送信指示信号）の受信
【００４１】
（６）電源の投入
ここで、本発明に係る画像読取装置は、省電力モードからの上記した復帰要因に応じて画像読取装置を構成する複数の機能モジュールに対する主制御部６１を含む機能モジュールの復帰のシーケンスを個別に制御することにより、省電力と主制御部の立ち上り復帰時間の短縮化を実現するのである。
【００４２】
図５は、本画像読取装置における省電力モードからの複数の復帰の起因に対応した復帰シーケンスの例を示す。
【００４３】
図５に示すように、サブ制御部６２が、センサー又は外部装置からの指示信号を受信して（Ｓ１０）、主制御部６１が、複数の復帰の起因（Ｓ１２乃至Ｓ１８）に個々に対応した省電力モードからの動作モードへの復帰シーケンス（（Ａ）、（Ｂ）、（Ｃ）、Ｓ２１、（Ｄ）、Ｓ２２、Ｓ２３）を行うのである。そして、装置の電源がオフされる（Ｓ２０）ことによりシャットダウン処理を行う（Ｓ２０）。
【００４４】
Ｂ．省電力モードからの復帰シーケンスの説明
図５に示す省電力モードからの復帰の起因が、上記した起因（４）の「外部の画像形成装置からのコピー開始信号の受信」であった場合には、ＡＤＦ２（図２）による搬送原稿の読み取りであるか、ブックプラテン２０（図２）に載置された静止原稿の読み取りであるかが判別できないので、全ての機能モジュールの復帰を同時に行うようにする（Ｓ２１）。
【００４５】
同様に、省電力モードからの復帰の起因が、上記した起因（６）の「電源の投入」の場合においても、画像データ処理部５２を含めて全ての機能モジュールの復帰を同時に行うようにする（Ｓ２２）。
【００４６】
図６は、上記した起因（１）の「ブックプラテン（図２の符合２０）のカバー又はＡＤＦ２（図２）の持ち上げを検知した場合」の復帰シーケンスの例を示すものである。
【００４７】
図６に示すように、サブ制御部６２が起因（１）を検知した場合には、主制御部６１（サブ制御部６２であっても良い）は、ブックプラテン２０（図２）の下に配設されている原稿サイズを検知するためのセンサー（通常複数個のセンサーにより構成される）の信号を読み取ることにより原稿サイズを検知する（Ｓ３１）。
【００４８】
次に、起因（１）は、プラテンガラス２０（図２）上に載置された原稿の読み取りを示しているので、最初に、受信した原稿サイズに対応して、第２の機能モジュールである光学読取部５１を最初に復帰させ（Ｓ３２）、その後、第３の機能モジュールである画像読取部５２の復帰（Ｓ３３）、そして最後に第１の機能モジュールであるＡＤＦ部５０の復帰を行って（Ｓ３４）、主制御部６１は、通常の制御ルーチンに入るのである（Ｓ３５）。尚、以下説明する種々の復帰シーケンスの場合も同様であるが、一の機能モジュールの省電力モードからの復帰によって、それ以外の機能モジュールが省電力モードから復帰する前であっても、当該一の機能モジュールの通常の動作制御（例えば原稿の光学読取制御処理）が行われることになる。
【００４９】
図７は、図５の復帰シーケンスにおける起因（２）の「給紙トレイ（図２）上への原稿載置の検知」に対応した復帰シーケンスの例を示す。
【００５０】
給紙トレイ（図２）の上に原稿が載置されるということは、ＡＤＦによる搬送原稿の読み取りであることと判断できる。このため、この起因（２）による復帰シーケンスは、最初に、第１の機能モジュールであるＡＤＦ部５０の復帰を行って（Ｓ４１）、続いて、第２の機能モジュールである光学読取部５１の復帰（Ｓ４２）、そして、第３の機能モジュールである画像読取部５２の復帰（Ｓ４３）を行い、最後に、固定読み取りに関係する機能の復帰（Ｓ４４）を経て、通常の制御ルーチンに入るのである（Ｓ４５）。
【００５１】
図８は、図５の復帰シーケンスにおける起因（３）である「ＡＤＦ２（図２）のジャムカバーの開き検知」に対応した復帰シーケンスの例を示す。
【００５２】
図８において、ＡＤＦ２（図２）のジャムシートを取り出すためのカバーが開放されたことを検知すると、ＡＤＦ２による搬送原稿の原稿読み取りであること判断し、上記した起因（３）の場合と同様に、先ず、第１の機能モジュールであるＡＤＦ部５０の復帰を行って（Ｓ５１）、続いて、第２の機能モジュールである光学読取部５１の復帰（Ｓ５２）、そして、第３の機能モジュールである画像読取部５２の復帰（Ｓ５３）を行い、最後に、固定読み取りに関係する機能の復帰（Ｓ５４）を経て、通常の制御ルーチンに入るのである（Ｓ５５）。
【００５３】
図９は、図５の復帰シーケンスにおける起因（５）である「外部のパーソナルコンピュータ等からの信号（画像読取の指示信号又は画像データの送信指示信号）の受信」に対応した復帰シーケンスの例を示す。
【００５４】
図９において、画像読取の指示信号を受信した場合（Ｓ６１）は、第２の機能モジュールである光学読取部５１の復帰（Ｓ６４）、そして、第３の機能モジュールである画像データ処理部５２の復帰（Ｓ６３）を行って、通常の制御ルーチンに入るのである（Ｓ６６）。ここで、画像読取の指示信号及び画像データの送信指示信号以外の信号を受信した場合（Ｓ６２）は、それに対応する制御処理（Ｓ６５）をすることになる。
【００５５】
以上、具体例を示して詳しく説明したように、本画像読取装置においては、制御部を複数の機能モジュールに設置された複数のセンサーと外部から複数種類の信号を受信するサブ制御部と、サブ制御部と接続されており複数のモジュールの動作制御を行う主制御部とに分離させ、電源装置を、サブ制御部、主制御部及び複数の機能モジュールに対して必要な電源電圧を個別に供給するように構成し、省電力モード時にはサブ制御部に対して必要な電源電圧を供給し、主制御部（又はサブ制御部）は、サブ制御部が受信した前記複数種類の信号に対応して、主制御部を含む機能モジュールの省電力モードからの復帰シーケンスを個別に制御するようにした。
【００５６】
これにより、本発明は、主制御部を含む機能モジュールの更なる省電力と、省電力モードからの主制御部の立ち上り復帰時間の短縮化を実現したのである。
【産業上の利用可能性】
【００５７】
本発明は、省電力モードからの何らかの動作モードへの復帰の起因に対応させて、画像読取装置を構成する主制御部を含む機能モジュールの復帰のシーケンスを制御することにより、省電力と主制御部の立ち上り復帰時間の短縮化させる技術に関するものであり、産業上の利用可能性を有する。
【符号の説明】
【００５８】
１：画像読取装置
５０：第１の機能モジュール（ＡＤＦ部）
５１：第２の機能モジュール（光学読取部）
５２：第３の機能モジュール（画像データ処理部）
５３：センサー類及びスイッチ類
６０：制御部（制御装置）
６１：主制御部
６２：サブ制御部
６３：サブ制御部におけるセンサー受信部
７０：電源装置（ＡＣ／ＤＣコンバータ）
【図１】
2011071779.tif 000003
【図２】
2011071779.tif 000004
【図３】
2011071779.tif 000005
【図４】
2011071779.tif 000006
【図５】
2011071779.tif 000007
【図６】
2011071779.tif 000008
【図７】
2011071779.tif 000009
【図８】
2011071779.tif 000010
【図９】
2011071779.tif 000011
【手続補正書】
【提出日】平成21年10月6日(2009.10.6)
【手続補正１】
【補正対象書類名】図面
【補正対象項目名】全図
【補正方法】変更
【補正の内容】
【図１】
2011071779.tif 000012
【図２】
2011071779.tif 000013
【図３】
2011071779.tif 000014
【図４】
2011071779.tif 000015
【図５】
2011071779.tif 000016
【図６】
2011071779.tif 000017
【図７】
2011071779.tif 000018
【図８】
2011071779.tif 000019
【図９】
2011071779.tif 000020